(57)【特許請求の範囲】
【請求項１】
搬送方向に沿って搬送されるターゲットに対して液体を噴射する液体噴射ヘッドと、
搬送されるターゲットを支持する支持手段と、
前記支持手段がターゲットを支持する場合に前記支持手段及び該支持手段に支持されるターゲットが並ぶ規定方向において、前記支持手段との間にターゲットの搬送経路が位置するように設定された移動可能領域を走査方向に沿って進退移動する移動体と、
光を発光する発光部と、
前記発光部からの光を受光する受光部と、
前記受光部での受光量に基づき、ターゲットにおいて前記支持手段に支持される被支持部分の少なくとも一部が該支持手段から離れたか否かを判定する判定手段と、を備え、
前記発光部は、前記移動可能領域外に設定された第１の位置及び前記移動体の前記走査方向における一端部に設定された第２の位置のうち、一方から他方に向けて光を発光し、平面視において、発光する光の進む方向が前記移動体の前記走査方向に対して所定の角度差を有するように配置されることを特徴とする液体噴射装置。
【請求項２】
前記移動体の基準位置は、前記支持手段に支持されるターゲットの被支持部分よりも、該ターゲットの幅方向における一方側に設定されると共に、前記第１の位置は、前記ターゲットの被支持部分よりも、該ターゲットの幅方向における他方側に設定されており、
前記判定手段は、前記移動体が前記基準位置に位置する場合、及び前記移動体が前記基準位置から離れる方向に移動する場合の少なくとも一方の場合に、前記受光部での受光量に基づき、ターゲットの前記被支持部分の少なくとも一部が前記支持手段から離れたか否かを判定することを特徴とする請求項１に記載の液体噴射装置。
【請求項３】
前記基準位置を基準とした前記移動体の前記走査方向への移動量を検出するための移動量検出手段をさらに備え、
前記判定手段は、
前記移動量検出手段によって検出された移動量が予め設定された移動量基準値以下である場合に、前記受光部での受光量に基づき、前記被支持部分の少なくとも一部が該支持手段から離れたか否かを判定することを特徴とする請求項２に記載の液体噴射装置。
【請求項４】
前記第１及び第２の各位置の何れか他方に設けられ、前記第１及び第２の各位置の何れか一方に設けられた前記発光部からの光を反射する反射部をさらに備え、
前記受光部は、前記移動量検出手段によって検出された移動量が前記移動量基準値以下である場合に前記反射部からの反射光を受光可能であることを特徴とする請求項３に記載の液体噴射装置。
【請求項５】
前記液体噴射ヘッドは前記移動体に設けられると共に、前記発光部は前記第１の位置に配置されており、
前記第１の位置は、前記搬送方向において前記第２の位置よりも下流側に設定されていることを特徴とする請求項１〜請求項４のうち何れか一項に記載の液体噴射装置。
【請求項６】
前記液体噴射ヘッドは前記移動体に設けられると共に、前記発光部は前記第１の位置に配置されており、
前記発光部は、前記基準位置に位置する前記移動体の所定位置又は該所定位置よりも前記搬送方向における上流側に向けて光が進むように配置されており、
前記所定位置は、前記液体噴射ヘッドの前記搬送方向における中央と前記搬送方向における同一位置に設定されていることを特徴とする請求項２〜請求項４のうち何れか一項に記載の液体噴射装置。
【発明の詳細な説明】
【技術分野】
【０００１】
本発明は、例えばインクジェット式プリンターなどの液体噴射装置に関する。
【背景技術】
【０００２】
一般に、所定の搬送方向に沿って搬送される印刷紙の紙詰まり（「紙ジャム」ともいう。）を検出するための検出系を備える印刷装置として、印刷紙の搬送経路に沿って複数の検出系が配置される装置が知られている（特許文献１参照）。これら各検出系は、光を発光する発光部と光を受光する受光部とをそれぞれ備えている。そして、発光部及び受光部の何れか一方は、印刷紙の裏面（即ち、印刷が施されない面）側に配置されると共に、発光部及び受光部の何れか他方は、印刷紙の表面（即ち、印刷が施される面）側に配置されている。
【０００３】
印刷紙の搬送時においては、各検出系のうち搬送方向上流側に位置する第１の検出系で印刷紙の先端が検知されると、時間計測が開始される。そして、第１の検出系で印刷紙の先端を検知してからの経過時間が、印刷紙の搬送速度などに基づき設定された時間基準値を超えても、搬送方向下流側に位置する第２の検出系で印刷紙の先端を検知できない場合には、紙詰まりが発生したと判定される。
【０００４】
なお、このように搬送方向に沿って配置される複数の検出系を用いて紙詰まりなどの搬送不良を検出する方法は、インクなどの液体を印刷紙などのターゲットに噴射する液体噴射ヘッドを備える液体噴射装置（例えば、インクジェット式プリンター）でも適用可能である。
【先行技術文献】
【特許文献】
【０００５】
【特許文献１】特開２０００−１０１２号公報
【発明の概要】
【発明が解決しようとする課題】
【０００６】
ところで、液体噴射装置は、一般的に、ターゲットを支持する支持手段と、ターゲットを挟んで支持手段の反対側に設定された移動可能領域を所定の走査方向に移動する移動体としてのキャリッジとを備えており、該キャリッジに液体噴射ヘッドが設けられている。こうした液体噴射装置では、ターゲットにおいて上記移動可能領域に対向する部分（以下、「被支持部分」ともいう。）は支持手段に支持されており、被支持部分がキャリッジ又は該キャリッジに搭載される液体噴射ヘッドと接触しないようになっている。
【０００７】
しかしながら、ターゲットの搬送不良などが発生した場合には、ターゲットを搬送方向に沿って適切に搬送できず、ターゲットの被支持部分の少なくとも一部が支持手段からキャリッジ側に離れる、即ち被支持部分の少なくとも一部が支持手段から浮き上がるおそれがある。この場合、走査方向に移動するキャリッジにターゲットが接触するおそれがある。こうした接触を検知することなくキャリッジの移動を継続させた場合には、ターゲットとの接触を維持した状態でのキャリッジの移動によって、ターゲットが破損するおそれがある。そこで、ターゲットの被支持部分の少なくとも一部が支持手段から離れてターゲットとキャリッジとが接触した場合には、該接触を速やかに検知する必要がある。
【０００８】
ターゲットの被支持部分の少なくとも一部が支持手段から離れたことを上記特許文献１に記載の方法で検出する場合には、以下に示す問題が発生し得る。すなわち、上記方法では、各検出系がターゲットの搬送方向に沿って配置される。そして、第１の検出系でターゲットの先端を検知してからある程度の時間が経過しないと、ターゲットの搬送不良が検知されない。そのため、搬送不良が実際に発生してから該搬送不良が検知されるまでの間に、キャリッジがターゲットに接触しながら移動し、該ターゲットが破損する、又は破損の度合が大きくなるおそれがある。なお、ここでいう「破損」とは、ターゲットが不必要に破れたり、ターゲットに不必要な折れ目が付いたりすることなどを含む。
【０００９】
また、ターゲットの被支持部分の少なくとも一部が支持手段から離れることは、所謂紙詰まりなどに代表されるターゲットの搬送不良時以外にも発生し得る。例えば、木材を原料とするパルプ繊維（主成分はセルロースである。）が網目構造をなすように積み重なった吸液性を有する多孔性材料でターゲットが構成される場合、該ターゲットは、付着したインクのインク溶媒（水分又はアルコールなどの有機溶媒）を吸収して膨潤する。その結果、ターゲットが波打つような形状に変形するコックリング現象が発生し、ターゲットの被支持部分の少なくとも一部が支持手段から離れる可能性がある。この場合、ターゲットの被支持部分の少なくとも一部が支持手段から離れることは、ターゲットの搬送に問題はないため、特許文献１に記載の方法では検出できない。
【００１０】
なお、液体噴射装置としては、液体噴射ヘッドが移動体に搭載されるタイプとは限らない。例えば、液体噴射ヘッドが移動体に搭載されないタイプの液体噴射装置においても、移動体とターゲットとの接触を検知できない場合には、液体噴射ヘッドが移動体に搭載されるタイプの液体噴射装置の場合と同様に、ターゲットとの接触を維持した状態での移動体の移動によって、ターゲットが破損したり、破損度合が大きくなったりするおそれがある。
【００１１】
本発明は、上記問題点に鑑みてなされたものである。その目的は、ターゲットにおいて支持手段に支持される部分であって且つ移動体の移動可能領域に対向する被支持部分の少なくとも一部が該支持手段から離れたか否かの判定精度を向上させることができる液体噴射装置を提供することにある。
【課題を解決するための手段】
【００１２】
上記目的を達成するために、本発明の液体噴射装置は、搬送方向に沿って搬送されるターゲットに対して液体を噴射する液体噴射ヘッドと、搬送されるターゲットを支持する支持手段と、前記支持手段がターゲットを支持する場合に前記支持手段及び該支持手段に支持されるターゲットが並ぶ規定方向において、前記支持手段との間にターゲットの搬送経路が位置するように設定された移動可能領域を走査方向に沿って進退移動する移動体と、光を発光する発光部と、前記発光部からの光を受光する受光部と、前記受光部での受光量に基づき、ターゲットにおいて前記支持手段に支持される被支持部分の少なくとも一部が該支持手段から離れたか否かを判定する判定手段と、を備え、前記発光部は、前記移動可能領域外に設定された第１の位置及び前記移動体の前記走査方向における一端部に設定された第２の位置のうち、一方から他方に向けて光を発光し、平面視において、発光する光の進む方向が前記移動体の前記走査方向に対して所定の角度差を有するように配置される。
【００１３】
上記構成によれば、第１及び第２の各位置の何れか一方に配置された発光部は、第１及び第２の各位置の何れか他方に向けて光を発光する。こうした発光部からの光は、ターゲットの被支持部分の全体が支持手段に接触している場合には、受光部に受光されるため、ターゲットの被支持部分が支持手段から離れていないと判定される。一方、ターゲットの被支持部分の少なくとも一部が支持手段から離れた場合において、被支持部分において支持手段から離れた部位（以下、「離間部位」ともいう。）が第１の位置と第２の位置との間に位置するときには、該離間部位によって、発光部からの光が遮光されたり、光の進む方向が変更されたりする。その結果、受光部での受光量が低下し、ターゲットに離間部位が生じたと判定される。つまり、ターゲットの搬送不良時以外にターゲットの被支持部分に離間部位が生じた場合でも、離間部位が生じたと判定することが可能となる。したがって、ターゲットにおいて支持手段に支持される部分であって且つ移動体の移動可能領域に対向する被支持部分の少なくとも一部が該支持手段から離れたか否かの判定精度を向上させることができる。
【００１４】
また、発光部からの光の進む方向と移動体の走査方向とが一致する場合、以下に示す状態では、ターゲットの被支持部分に離間部位が生じたとしても、該離間部位が生じていないと誤判定されるおそれがある。例えば、被支持部分のうち搬送方向における異なる複数の部位（「被支持部位」ともいう。）が支持手段に支持される一方で、搬送方向において互いに隣り合う両被支持部位の間の部分が支持手段から浮き上がることがある。この場合、支持手段に支持される各被支持部位の間に位置する部位であって且つ支持手段から離れている部位が、離間部位に相当する。この場合、被支持部分の離間部位と支持手段との間に形成された隙間内を、発光部からの光が、ターゲットに生じた離間部位に入射することなく通過するおそれがある。すると、発光部からの光がターゲットに邪魔されることなく受光部に受光される。その結果、実際にはターゲットの被支持部分に離間部位が生じたとしても、該離間部位が光検出手段を用いて検知されない。
【００１５】
この点、本発明では、発光部からの光の進む方向が移動体の走査方向と交差する。そのため、発光部からの光の進む方向が移動体の走査方向と一致する場合と比較して、発光部からの光が被支持部分の離間部位に入射する可能性が高くなる。その結果、ターゲットの被支持部分に離間部位が生じたか否かの判定精度を向上させることができる。
【００１６】
本発明の液体噴射装置において、前記移動体の基準位置は、前記支持手段に支持されるターゲットの被支持部分よりも、該ターゲットの幅方向における一方側に設定されると共に、前記第１の位置は、前記ターゲットの被支持部分よりも、該ターゲットの幅方向における他方側に設定されており、前記判定手段は、前記移動体が前記基準位置に位置する場合、及び前記移動体が前記基準位置から離れる方向に移動する場合の少なくとも一方の場合に、前記受光部での受光量に基づき、ターゲットの前記被支持部分の少なくとも一部が前記支持手段から離れたか否かを判定する。
【００１７】
上記構成によれば、移動体が基準位置に位置する状態で判定処理を行う場合には、移動体の基準位置からの移動開始前に、ターゲットの被支持部分に離間部位が存在するか否かが判定される。また、移動体が基準位置から移動する状態で判定処理を行う場合には、移動途中の移動体がターゲットに接触する前に離間部位があるか否かが判定される、又は接触してから速やかに離間部位があるか否かが判定される。そのため、離間部位があると判定された場合には移動体の移動を禁止するようにした場合には、移動体とターゲットとの接触を回避することが可能となる、又は移動体とターゲットとの接触に伴う該ターゲットの破損度合を極力少なくすることが可能となる。
【００１８】
本発明の液体噴射装置は、前記基準位置を基準とした前記移動体の前記走査方向への移動量を検出するための移動量検出手段をさらに備え、前記判定手段は、前記移動量検出手段によって検出された移動量が予め設定された移動量基準値以下である場合に、前記受光部での受光量に基づき、前記被支持部分の少なくとも一部が該支持手段から離れたか否かを判定する。
【００１９】
発光部からの光の進む方向が移動体の走査方向と交差する構成の場合、移動体の位置によっては、被支持部分に離間部位がない場合であっても発光部からの光を受光部で受光できなくなることがある。そこで、本発明では、移動量検出手段によって検出された移動体の移動量が移動量基準値以下である場合には、受光部での受光量によって、ターゲットの被支持部分に離間部位が生じたか否かが判定される。つまり、第１及び第２の各位置の間に離間部位があるか否かによって、受光部での受光量が変化するような位置に移動体が位置する場合には、受光部での受光量に基づきターゲットの被支持部分に離間部位が生じたと判定することができる。
【００２０】
本発明の液体噴射装置は、前記第１及び第２の各位置の何れか他方に設けられ、前記第１及び第２の各位置の何れか一方に設けられた前記発光部からの光を反射する反射部をさらに備え、前記受光部は、前記移動量検出手段によって検出された移動量が前記移動量基準値以下である場合に前記反射部からの反射光を受光可能である。
【００２１】
上記構成によれば、発光部からの光を、反射部を介して受光部で受光させる構成であっても、移動体の基準位置からの移動量が移動基準値以下である場合には、受光部での受光量によって、ターゲットの被支持部分に離間部位が生じたか否かを判定することができる。
【００２２】
本発明の液体噴射装置において、前記液体噴射ヘッドは前記移動体に設けられると共に、前記発光部は前記第１の位置に配置されており、前記第１の位置は、前記搬送方向において前記第２の位置よりも下流側に設定されている。
【００２３】
上記構成によれば、第１の位置を搬送方向において第２の位置よりも上流側に設定した場合と比較して、ターゲットの被支持部分において液体が付着した部分で離間位置が生じたか否かを精度良く判定することができる。
【００２４】
本発明の液体噴射装置において、前記液体噴射ヘッドは前記移動体に設けられると共に、前記発光部は前記第１の位置に配置されており、前記発光部は、前記基準位置に位置する前記移動体の所定位置又は該所定位置よりも前記搬送方向における上流側に向けて光が進むように配置されており、前記所定位置は、前記液体噴射ヘッドの前記搬送方向における中央と前記搬送方向における同一位置に設定されている。
【００２５】
液体噴射ヘッドが第１の位置に近い位置に位置する場合に合わせて光の進む方向が設定される場合には、液体噴射ヘッドが基準位置に近い位置に位置するときに、ターゲットに離間部位があることを検知できないおそれがある。この場合、ターゲットに実際には離間部位があったときには、基準位置から第１の位置に接近する移動体とターゲットとの実際の接触が開始してから、受光部での受光量に基づき当該接触を検知できるまでの間にタイムラグが発生するおそれがある。こうしたタイムラグが長いほど、移動体とターゲットとの接触に伴うターゲットの破損度合が大きくなるおそれがある。
【００２６】
この点、本発明では、液体噴射ヘッドが第１の位置から遠い位置の基準位置に位置する場合に合わせて光の進む方向が設定されている。そのため、液体噴射ヘッドが第１の位置に近い位置に位置する場合に合わせて光の進む方向が設定される場合と比較して、液体噴射ヘッドが基準位置に位置する場合や液体噴射ヘッドが第１の位置から未だ遠い場合に、ターゲットに離間位置があることを検知することが可能となる。つまり、ターゲットの被支持部分に離間位置がある場合には該離間部位を早い段階で検知できる。
【図面の簡単な説明】
【００２７】
【図１】本発明の液体噴射装置の一実施形態であるインクジェット式プリンターの概略構成を示す側面図。
【図２】インク噴射部を示す正面図。
【図３】インク噴射部を示す平面図。
【図４】浮き上がり判定処理ルーチンを説明するフローチャート。
【図５】ロール紙の被支持部分の一部が支持台から離れている状態を示す模式図。
【図６】発光部からの光がロール紙の被支持部分に生じた離間部位に対して斜めから入射する様子を示す模式図。
【発明を実施するための形態】
【００２８】
以下、本発明を具体化した一実施形態を図１〜図６に基づいて説明する。なお、以下における本明細書中の説明において、「前後方向」、「左右方向」、「上下方向」をいう場合は、図１、図２及び図３に矢印で示す前後方向、左右方向、上下方向をそれぞれ示すものとする。
【００２９】
図１に示すように、液体噴射装置の一例としてのインクジェット式プリンター１１は、紙面と直交する方向である左右方向に延びる回転軸１２にロール状に巻かれたターゲットの一例としてのロール紙１３に対して液体の一例としてのインクを付着させることにより、ロール紙１３に画像を形成する装置である。こうしたインクジェット式プリンター１１は、ロール紙１３が巻かれた回転軸１２の反時計方向への回転により送り出されたロール紙１３を搬送方向Ｙ（この場合、前後方向）に沿って搬送する搬送部１４と、該搬送部１４によって搬送されるロール紙１３に対してインクを付着させるインク噴射部１５とを備えている。また、搬送方向Ｙにおいてインク噴射部１５の下流側（図１では左側）には、ロール紙１３を切断するためのカッター１６ａを有する切断部１６と、該切断部１６によってロール紙１３から切り離されたカット用紙１３ａを図示しない排紙トレイに向けて排出させる排出部１７とが設けられている。そして、搬送部１４、インク噴射部１５、切断部１６及び排出部１７は、制御装置１８によって制御される。
【００３０】
搬送部１４について、図１を参照して説明する。
図１に示すように、搬送部１４は、ロール紙１３を挟持するように配置された駆動ローラー２１及び従動ローラー２２からなる複数（図１では１つのみ図示）のローラー対２３が、ロール紙１３の搬送方向Ｙに沿って配置された構成である。これらローラー対２３は、搬送モーター２４からの駆動力が駆動ローラー２１に伝達されることにより、ロール紙１３を搬送方向Ｙにおける下流側（図１では左側）に搬送する。なお、図１には描かれていないが、搬送方向Ｙにおいてインク噴射部１５と切断部１６との間に、少なくとも一対のローラー対を配置してもよい。
【００３１】
次に、排出部１７について、図１を参照して説明する。
図１に示すように、排出部１７は、カット用紙１３ａを挟持するように配置された駆動ローラー３１及び従動ローラー３２からなるローラー対３３を備えている。このローラー対３３は、排出モーター３４からの駆動力が駆動ローラー３１に伝達されることにより、カット用紙１３ａを排紙トレイ（図示略）に向けて排出する。
【００３２】
次に、インク噴射部１５について、図１、図２及び図３を参照して説明する。
図１及び図２に示すように、本実施形態のインク噴射部１５は、ロール紙１３の搬送経路の下側に配置され、ロール紙１３においてインク噴射部１５まで搬送された部分を支持する支持手段の一例としての支持台４０を備えている。この支持台４０の上面は、ロール紙１３を支持する支持面４１となっている。なお、以降の記載においては、ロール紙１３において支持面４１で支持される部分を「被支持部分１３ｂ」という。
【００３３】
また、支持台４０の支持面４１には、複数の吸引孔４２が開口している。具体的には、支持面４１上には、搬送方向Ｙにほぼ直交する走査方向Ｘに沿って等間隔に配列される複数の吸引孔４２からなる複数列の吸引孔列４３が、搬送方向Ｙに沿って配置されている。また、支持台４０内には、各吸引孔４２越しにロール紙１３の被支持部分１３ｂを吸引する吸引機構４４（例えば、吸引ファン）が設けられている。したがって、ロール紙１３の被支持部分１３ｂは、吸引機構４４からの吸引力により支持面４１に吸着される。
【００３４】
また、ロール紙１３の搬送経路を挟んで支持台４０の反対側、即ち支持台４０の上方域には、走査方向Ｘに延びるガイド軸５０が設けられている。すなわち、ガイド軸５０は、支持台４０及び該支持台４０に支持される被支持部分１３ｂが並ぶ上下方向（規定の方向）において、支持台４０との間にロール紙１３の搬送経路が位置するような領域に配置されている。こうしたガイド軸５０の左端は支持台４０の左端よりも左側に位置すると共に、ガイド軸５０の右端は支持台４０の右端よりも右側に位置している。また、ガイド軸５０は、下部（支持台４０に対向する対向部）５２ａに液体噴射ヘッドの一例としての記録ヘッド５１を設けた移動体の一例としてのキャリッジ５２を、走査方向Ｘに進退移動可能に支持している。このキャリッジ５２は、キャリッジモーター５３からの駆動力が図示しない動力伝達機構を介して伝達されることにより、ガイド軸５０にガイドされつつ、搬送経路の上方に設定された移動可能領域５４内を走査方向Ｘに沿って進退移動する。
【００３５】
記録ヘッド５１には、図示しないインク収容部から供給されたインクを下方に向けて噴射する複数のノズル（図示略）が形成されている。これら各ノズルは、記録ヘッド５１において支持台４０に対向するノズル形成面５１ａにそれぞれ開口している。このノズル形成面５１ａには、搬送方向Ｙに沿って配置される複数のノズル開口からなる複数列のノズル列（図示略）が、走査方向Ｘに沿って配置されている。そして、これら各ノズル列の搬送方向Ｙにおける中央は、ノズル形成面５１ａの搬送方向Ｙにおける中央とほぼ一致している。
【００３６】
また、キャリッジ５２の下部５２ａにおいて記録ヘッド５１よりも右側には、ロール紙１３の被支持部分１３ｂにおいて支持面４１からキャリッジ５２側に離間した部位（以下、「離間部位」ともいう。）を、支持面４１側に押さえつけるための抑え部５５が設けられている。この抑え部５５は、キャリッジ５２の下部５２ａに支持される支持部位５５ａと、該支持部位５５ａの右端から右斜め上方に延びる斜状部位５５ｂとを有している。そして、キャリッジ５２が右方に移動する場合において、ロール紙１３の被支持部分１３ｂに離間部位が存在するときに、抑え部５５は、該抑え部５５（特に斜状部位５５ｂ）に接触した離間部位を支持面４１側に押さえつける。なお、ロール紙１３の被支持部分１３ｂ全体が支持面４１から離間していない場合、被支持部分１３ｂは抑え部５５に接触しない。
【００３７】
また、キャリッジ５２の後側には、支持台４０よりも右側に設定された基準位置の一例としてのホームポジションＨＰからのキャリッジ５２の移動量（即ち、ホームポジションＨＰを基準とした走査方向Ｘにおけるキャリッジ５２の位置）を検出するための移動量検出手段の一例としてのリニアエンコーダー６０が設けられている。このリニアエンコーダー６０は、図示しないスリットが走査方向Ｘに沿って等間隔に形成された被検出用テープ６１と、キャリッジ５２の後部に設けられた検出部６２とを備えている。そして、検出部６２に設けられたセンサー（図示略）からは、キャリッジ５２の移動距離に相当するパルス状の検出信号が制御装置１８に出力される。
【００３８】
図２及び図３に示すように、ホームポジションＨＰは、ロール紙１３の被支持部分１３ｂよりも、ロール紙１３の幅方向（搬送方向Ｙと直交する方向であって、左右方向）における一方側に設定されている。こうしたホームポジションＨＰの下方には、該ホームポジションＨＰまでキャリッジ５２が移動した場合に、記録ヘッド５１をメンテナンスするためのメンテナンスユニット６５が設けられている。このメンテナンスユニット６５が行うメンテナンスとしては、例えば、記録ヘッド５１のノズル形成面５１ａの払拭、記録ヘッド５１のフラッシング、記録ヘッド５１のクリーニングなどが挙げられる。
【００３９】
なお、ロール紙１３の被支持部分１３ｂへのインク噴射前では、キャリッジ５２はホームポジションＨＰに位置している。そして、被支持部分１３ｂへのインク噴射時には、キャリッジ５２がホームポジションＨＰから走査方向Ｘにおける他方（左方）に向けて移動し、この間に記録ヘッド５１からはインクが適宜噴射される。
【００４０】
本実施形態のインク噴射部１５には、ロール紙１３の被支持部分１３ｂに離間部位が生じた場合に、該離間部位を検知するための光検知手段の一例としての光電センサー７０と、反射部の一例としてのリフレクター７１とが設けられている。リフレクター７１は、該リフレクター７１に入射する光の入射角が所定角度以下である場合には、射出角が入射角とほぼ同一角度となるように光を反射する。こうしたリフレクター７１は、キャリッジ５２の左端部（走査方向Ｘにおける一端部）に設定された第２の位置Ｐ２に配置されている。
【００４１】
リフレクター７１の幅（即ち、前後方向における長さ）は、キャリッジ５２の前後方向における長さと一致すると共に、リフレクター７１の高さ（即ち、上下方向における長さ）は、キャリッジ５２の上下方向における長さの半分以下である。また、本実施形態においてリフレクター７１の下端は、上下方向においてキャリッジ５２の下端と一致している。
【００４２】
光電センサー７０は、回帰反射型の光電センサーであって、リフレクター７１に向けて縦波の光を発光する発光部７２と、リフレクター７１からの反射光を受光する受光部７３とを有している。発光部７２からの縦波の光は、リフレクター７１に反射する際に横波に変換されて該リフレクター７１から射出される。つまり、受光部７３に入射されるリフレクター７１からの反射光は横波の光である。そして、受光部７３からは、受光した横波の光量に応じた検出信号が制御装置１８に出力される。なお、本実施形態において、発光部７２からの光の光束の中央を発光部７２から発光された光の進む方向（以下、「光線方向」ともいう。）に沿って延びる線のことを、「光線Ｌ１」というものとする。
【００４３】
光電センサー７０は、上下方向（規定の方向）において支持台４０との間にロール紙１３の搬送経路が位置するように設定された移動可能領域５４の外側であって且つロール紙１３の幅方向における一方側に設定された第１の位置Ｐ１に配置されている。本実施形態において第１の位置Ｐ１は、リフレクター７１が配置される第２の位置Ｐ２よりも上側であって且つ第２の位置Ｐ２よりも搬送方向Ｙにおける下流側（前側）に位置している。つまり、光電センサー７０は、支持台４０に支持される被支持部分１３ｂよりも上側に配置されている。
【００４４】
第１の位置Ｐ１に配置された光電センサー７０において発光部７２は、ロール紙１３の被支持部分１３ｂの上方域で、ロール紙１３を横切るような光を発光する。このように発光部７２から発光された光の上記光線方向は、キャリッジ５２の走査方向Ｘに対して所定の角度差θ（≠０（零）°）だけ異なっている。そして、キャリッジ５２がホームポジションＨＰに位置する場合に発光部７２から光が発光された場合、光線Ｌ１は、リフレクター７１において記録ヘッド５１の前後方向における中央と同一前後方向位置に設定された所定位置Ｐ３に入射する。そして、リフレクター７１で反射した光は、ロール紙１３の被支持部分１３ｂの上方域でロール紙１３を横切った後に、光電センサー７０の受光部７３に受光される。
【００４５】
上記構成により、受光部７３には、ホームポジションＨＰを基準としたキャリッジ５２の走査方向Ｘへの移動量が移動量基準値ＭＣｔｈ以下である場合、発光部７２で発光された光のうちリフレクター７１で反射された光の少なくとも一部が入射される。その一方で、ホームポジションＨＰを基準としたキャリッジ５２の移動量が移動量基準値ＭＣｔｈを超えた場合、受光部７３には、発光部７２で発光された光が入射しない又はほとんど入射しない。これは、発光部７２とリフレクター７１との距離が短くなったことにより、リフレクター７１への光の入射量が少なくなったり、リフレクター７１に発光部７２からの光が入射しなくなったりするためである。
【００４６】
本実施形態において、上記所定の角度差θは、移動量基準値ＭＣｔｈがホームポジションＨＰから第１の位置Ｐ１までの距離ＭＣｍａｘよりも小さな値となるような角度に設定されている。一例として、所定の角度差θは、移動量基準値ＭＣｔｈが上記距離ＭＣｍａｘの半分程度の値となるような角度に設定されている。
【００４７】
次に、本実施形態の制御装置１８が実行する浮き上がり判定処理ルーチンについて、図４に示すフローチャートを参照して説明する。なお、本実施形態では、ロール紙１３の被支持部分１３ｂの少なくとも一部が支持面４１から離間すること、即ち離間部位が生じることを、「被支持部分１３ｂの少なくとも一部が支持面４１から浮き上がった」ともいう。
【００４８】
さて、浮き上がり判定処理ルーチンは、キャリッジ５２が走査方向Ｘにおける一方（左方）に向けて移動する際に、即ちキャリッジ５２がホームポジションＨＰから離れる方向に移動する際に、予め設定された所定周期毎に実行される。つまり、浮き上がり判定処理ルーチンは、キャリッジ５２が走査方向Ｘにおける他方（右方）に向けて移動する際には実行されない。
【００４９】
こうした浮き上がり判定処理ルーチンにおいて、制御装置１８は、リニアエンコーダー６０から入力される検出信号に基づき、ホームポジションＨＰからのキャリッジ５２の移動量ＭＣを検出する（ステップＳ１０）。続いて、制御装置１８は、検出した移動量ＭＣが上記移動量基準値ＭＣｔｈ以下であるか否かを判定する（ステップＳ１１）。
【００５０】
移動量ＭＣが移動量基準値ＭＣｔｈを超える場合（ステップＳ１１：ＮＯ）、制御装置１８は、ロール紙１３の被支持部分１３ｂに離間部位が生じたか否かの判定に光電センサー７０を用いることができないと判断する。そして、制御装置１８は、浮き上がりフラグをオフにセットし（ステップＳ１２）、浮き上がり判定処理ルーチンを一旦終了する。なお、浮き上がりフラグは、ロール紙１３の被支持部分１３ｂに離間部位が生じた場合には「オン」にセットされる一方、離間部位が生じていない場合及び離間部位が生じたか否かの判定が不能である場合には「オフ」にセットされるフラグである。
【００５１】
一方、移動量ＭＣが移動量基準値ＭＣｔｈ以下である場合（ステップＳ１１：ＹＥＳ）、制御装置１８は、光電センサー７０の受光部７３での受光量ＬＱを検出する（ステップＳ１３）。続いて、制御装置１８は、検出した受光量ＬＱが予め設定された受光量基準値ＬＱｔｈ未満であるか否かを判定する（ステップＳ１４）。この受光量基準値ＬＱｔｈは、発光部７２からの光が、ロール紙１３の被支持部分１３ｂに生じた離間部位によって遮光又は光の進む方向が変更されたか否かを判断するための判断基準として設定された値である。つまり、ステップＳ１４では、受光部７３での受光量ＬＱによって、ロール紙１３の被支持部分１３ｂに離間部位が生じたか否かが判定される。したがって、本実施形態では、制御装置１８が、判定手段として機能する。
【００５２】
受光量ＬＱが受光量基準値ＬＱｔｈ以上である場合（ステップＳ１４：ＮＯ）、制御装置１８は、ロール紙１３の被支持部分１３ｂに離間部位が生じていないと判断し、その処理を前述したステップＳ１２に移行する。一方、受光量ＬＱが受光量基準値ＬＱｔｈ未満である場合（ステップＳ１４：ＹＥＳ）、制御装置１８は、ロール紙１３の被支持部分１３ｂに離間部位が生じたと判断し、浮き上がりフラグをオンにセットする（ステップＳ１５）。その後、制御装置１８は、浮き上がり判定処理ルーチンを一旦終了する。
【００５３】
次に、本実施形態のインク噴射部１５での作用について、図５及び図６を参照して説明する。なお、前提として、ロール紙１３の被支持部分１３ｂの一部は、支持面４１から離間した「離間部位１３ｃ」となっているものとする。
【００５４】
例えば、インク噴射部１５よりも搬送方向Ｙにおける下流側（図５では右側）で紙ジャムなどの搬送不良が発生すると、支持台４０上では、図５に示すように、ロール紙１３の被支持部分１３ｂに離間部位１３ｃが生じる。本実施形態の支持台４０には、走査方向Ｘ（図５では紙面と直交する方向）に延びる複数の吸引孔列４３が搬送方向Ｙに沿って配置されている。そのため、ロール紙１３の被支持部分１３ｂにおいて各吸引孔列４３と搬送方向Ｙで同一位置に位置する部位（以下、「被吸着部位１３ｄ」ともいう。）は、吸引機構４４からの吸引力によって、支持面４１に吸着される。その一方で、被支持部分１３ｂのうち、搬送方向Ｙにおいて互いに隣り合う被吸着部位１３ｄ同士の間に、離間部位１３ｃがそれぞれ生じる。
【００５５】
こうした離間部位１３ｃは、その上端がキャリッジ５２の下部５２ａよりも上側（より詳しくは、リフレクター７１の上端よりも上側）に位置するような形状となっている。しかも、支持台４０上でのロール紙１３の撓み量が多いと、離間部位１３ｃには、支持面４１とほぼ直交する部位が含まれることがある。
【００５６】
この場合において、もし仮に、上記所定の角度差θが「０（零）°」となるように光電センサー７０が配置されていたとすると、光電センサー７０の発光部７２からの光は、支持面４１と離間部位１３ｃとの間の隙間ＳＰ内を通過してリフレクター７１で反射され、その後、隙間ＳＰ内を再び通過して受光部７３に受光されることがあり得る。すると、ロール紙１３の被支持部分１３ｂに離間部位１３ｃが生じているにも拘わらず、受光部７３での受光量ＬＱが受光量基準値ＬＱｔｈ以上となり、離間部位１３ｃが生じていないと誤判定される可能性がある。
【００５７】
また、吸引孔列４３の位置によっては、光電センサー７０の発光部７２とリフレクター７１とを結ぶ線上に、離間部位１３ｃが位置することもあり得る。この場合、上記所定の角度差θが「０（零）°」となるように光電センサー７０が配置されていたとすると、図６にて二点鎖線で示すように、発光部７２からの光がターゲットの離間部位１３ｃに対してほぼ垂直に入射する。ここで、搬送されるターゲットが非透光性のターゲットであるときには、光が離間部位１３ｃによって遮光され、受光部７３での受光量ＬＱが低下する。その結果、離間部位１３ｃがあると正確に判定される。しかし、ターゲットが透光性のターゲット（例えば、透明なフィルム）であるときには、発光部７２からの光が離間部位１３ｃに対してほぼ垂直に入射すると、離間部位１３ｃに垂直に入射した光は、その進む方向がほとんど変更されることなく離間部位１３ｃ内を透過し、リフレクター７１に入射する。そして、リフレクター７１で反射された光は、離間部位１３ｃに対してほぼ垂直に再び入射する。このように離間部位１３ｃに垂直に入射した光は、その進む方向がほとんど変更されることなく離間部位１３ｃ内を透過し、光電センサー７０の受光部７３で受光される。その結果、受光部７３での受光量ＬＱが受光量基準値ＬＱｔｈ未満とならず、離間部位１３ｃが生じていないと誤判定される可能性がある。
【００５８】
この点、本実施形態では、上記所定の角度差θが「０（零）°」とは異なる角度となるように光電センサー７０が配置される。すなわち、上記光線Ｌ１は、リフレクター７１の所定位置Ｐ３に対して斜めから入射する。この場合、所定の角度差θが「０（零）°」である場合と比較して、発光部７２からの光が離間部位１３ｃに入射する可能性が高くなる。
【００５９】
また、図６に示すように、発光部７２からの光は、離間部位１３ｃに対して斜めから入射しやすくなる。そのため、ターゲットが透光性のターゲットであったとしても、発光部７２からの光が離間部位１３ｃに入射することにより、光の進む方向が変更される。また、発光部７２からの光の一部は、ターゲットの表面で反射される。こうした光は、リフレクター７１に入射しないため、受光部７３で受光されにくい。仮に受光部７３に入射したとしても、光の横波成分が極めて少ないため、受光部７３ではほとんど受光されない。
【００６０】
すると、リフレクター７１には、発光部７２からの光がほとんど入射されなくなり、受光部７３での受光量ＬＱが著しく低下する。その結果、受光量ＬＱが受光量基準値ＬＱｔｈ未満となり、ロール紙１３の被支持部分１３ｂに離間部位１３ｃが生じたと正確に判定される。
【００６１】
すると、キャリッジ５２がホームポジションＨＰに未だ位置する場合には、キャリッジ５２の移動が禁止されると共に、ロール紙１３の被支持部分１３ｂに離間部位１３ｃが発生した旨が作業者に報知される。また、ホームポジションＨＰから離れる方向にキャリッジ５２が移動する途中に、離間部位１３ｃが発生したと判定された場合には、キャリッジ５２の移動が一旦停止されると共に、記録ヘッド５１からのインク噴射が禁止され、さらに、離間部位１３ｃが発生した旨が作業者に報知される。その後、キャリッジ５２は、ホームポジションＨＰに戻される。このとき、キャリッジ５２の下部５２ａに設けられた抑え部５５に離間部位１３ｃが接触した場合、該離間部位１３ｃは、抑え部５５によって支持面４１側に押さえつけられる。そのため、ホームポジションＨＰに戻るキャリッジ５２と離間部位１３ｃとの接触が、抑え部５５によって抑制される。
【００６２】
上記実施形態によれば、以下のような効果を得ることができる。
（１）本実施形態では、第１の位置Ｐ１に配置された発光部７２は、キャリッジ５２において発光部７２に対向する側に設定された第２の位置Ｐ２に向けて光を発光する。そのため、ロール紙１３の被支持部分１３ｂに生じた離間部位１３ｃが、第１の位置Ｐ１と第２の位置Ｐ２との間に位置する場合には、受光部７３での受光量ＬＱが低下し、離間部位１３ｃがあると判定される。したがって、ロール紙１３の被支持部分１３ｂの少なくとも一部が支持面４１から離れたか否かの判定精度を向上させることができる。
【００６３】
（２）ロール紙１３は、紙ジャムなどの搬送不良が発生しない場合にも撓んでしまうことがある。例えば、上記コックリング現象が発生した場合には、搬送不良が発生していないにも拘わらず、ロール紙１３の被支持部分１３ｂに離間部位１３ｃが生じることがある。本実施形態では、このような場合でも、被支持部分１３ｂの離間部位１３ｃがキャリッジ５２に接触するような位置に位置する場合には、光電センサー７０を用いて、離間部位１３ｃがあると判定することができる。つまり、ロール紙１３の搬送不良の非発生時であっても、ロール紙１３の被支持部分１３ｂに離間部位１３ｃが生じた場合には、離間部位１３ｃがあると判定することができる。
【００６４】
（３）本実施形態の光電センサー７０を用いて離間部位１３ｃがあると判定された場合には、走査方向Ｘに移動するキャリッジ５２とロール紙１３とが接触している、又はキャリッジ５２がロール紙１３に接触する可能性がある。つまり、キャリッジ５２とロール紙１３との接触を速やかに検知することできる、又はキャリッジ５２とロール紙１３との接触の可能性があることを検知することができる。
【００６５】
（４）本実施形態では、上記光線方向が走査方向Ｘと交差するように、光電センサー７０が配置されている。そのため、光線方向が走査方向Ｘと同一方向である場合と比較して、ロール紙１３の被支持部分１３ｂに生じた離間部位１３ｃに、発光部７２からの光が入射しない可能性を低くすることができる。したがって、離間部位１３ｃが生じたか否かの判定精度を向上させることができる。
【００６６】
（５）また、発光部７２からの光が離間部位１３ｃに入射する場合、発光部７２からの光が離間部位１３ｃに対して斜めから入射する可能性が高くなる。そのため、ターゲットが透光性のターゲットであったとしても、発光部７２からの光の離間部位１３ｃへの入射によって光の進む方向が変更されるため、受光部７３には光が入射しにくくなる。したがって、ターゲットの種類に関係なく、被支持部分１３ｂに離間部位１３ｃが生じたか否かを判定することができる。
【００６７】
（６）本実施形態では、キャリッジ５２がホームポジションＨＰに位置する段階で、光電センサー７０を用いて、ロール紙１３の被支持部分１３ｂに離間部位１３ｃが生じたか否かを判定している。そのため、離間部位１３ｃの検知によってキャリッジ５２の移動を禁止する場合には、キャリッジ５２とロール紙１３との接触を回避することが可能となる。
【００６８】
（７）また、本実施形態では、キャリッジ５２がホームポジションＨＰから離れる方向に移動する途中でも、光電センサー７０を用いて、ロール紙１３の被支持部分１３ｂに離間部位１３ｃが生じたか否かを判定している。そのため、離間部位１３ｃの発生によって、キャリッジ５２とロール紙１３とが接触した際には、キャリッジ５２の移動を速やかに停止させることができる。この場合、ロール紙１３と接触した状態でのキャリッジ５２の移動が継続される場合と比較して、ロール紙１３の破損度合を小さくすることができる。
【００６９】
（８）本実施形態では、上記光線方向が走査方向Ｘと交差するように、光電センサー７０が配置されている。キャリッジ５２の位置によっては、ロール紙１３の被支持部分１３ｂに離間部位１３ｃがない場合であっても発光部７２からの光を受光部７３で受光できなくなることがある。そこで、本実施形態では、リニアエンコーダー６０を用いてキャリッジ５２の位置を検出し、光電センサー７０を用いた離間部位１３ｃの有無の判定が可能であるか否かが判定される。そして、光電センサー７０を用いた離間部位１３ｃの有無の判定が可能となるような位置にキャリッジ５２が位置する場合には、光電センサー７０を用いてロール紙１３の被支持部分１３ｂに離間部位１３ｃが生じたか否かが判定される。つまり、第１及び第２の各位置Ｐ１，Ｐ２の間に離間部位１３ｃがあるか否かによって、受光部７３での受光量ＬＱが変化するような位置にキャリッジ５２が位置する場合には、受光部７３での受光量ＬＱに基づき離間部位１３ｃの有無を判定することができる。
【００７０】
（９）キャリッジ５２の第２の位置Ｐ２にはリフレクター７１が設けられる。そのため、発光部７２や受光部７３をキャリッジ５２に設けなくてもよい分、キャリッジ５２にかかる荷重を軽くすることができる。
【００７１】
（１０）第１の位置Ｐ１は、搬送方向Ｙにおいて第２の位置Ｐ２よりも下流側に設定されている。そのため、第１の位置Ｐ１を搬送方向Ｙにおいて第２の位置Ｐ２よりも上流側に設定した場合と比較して、ロール紙１３の被支持部分１３ｂにおいてインクが付着した部分で離間部位１３ｃが生じたか否かを判定することができる。
【００７２】
（１１）キャリッジ５２がホームポジションＨＰに位置する場合に、上記光線Ｌ１がリフレクター７１の所定位置Ｐ３に入射するように、発光部７２が配置されている。そのため、キャリッジ５２が第１の位置Ｐ１に近い位置に位置する場合に合わせて発光部７２の配置態様が設定される場合と比較して、キャリッジ５２が第１の位置Ｐ１から遠い位置に位置する段階で、ロール紙１３の被支持部分１３ｂに離間部位１３ｃがあることを検知することが可能となる。つまり、離間部位１３ｃを早い段階で検知できる分、キャリッジ５２とロール紙１３との接触を速やかに検知することができる、又はキャリッジ５２とロール紙１３との接触を回避することができる。
【００７３】
（１２）キャリッジ５２の下部５２ａにおいて記録ヘッド５１よりも右側には抑え部５５が設けられている。そのため、キャリッジ５２がホームポジションＨＰから離れる方向に移動した後に、ロール紙１３の被支持部分１３ｂに離間部位１３ｃが発生した場合には、ホームポジションＨＰ側に移動するキャリッジ５２の抑え部５５によって、離間部位１３ｃが支持面４１側に押し付けられる。そのため、キャリッジ５２とロール紙１３との接触を抑制することができる。
【００７４】
なお、上記実施形態は以下のように変更してもよい。
・実施形態において、キャリッジ５２には抑え部５５を設けなくてもよい。この場合、キャリッジ５２の右側にもリフレクターを設けると共に、移動可能領域５４の右側に光電センサーを設けてもよい。この場合、キャリッジ５２がホームポジションＨＰに接近する方向に移動するときでも、ロール紙１３の被支持部分１３ｂに離間部位１３ｃが生じたか否かを判定することが可能となる。
【００７５】
・実施形態において、所定位置Ｐ３を、記録ヘッド５１の前後方向における中央と同一前後方向位置よりも、搬送方向Ｙにおける上流側に設定してもよい。このように構成することで、所定位置Ｐ３を記録ヘッド５１の前後方向における中央と同一前後方向位置に設定される場合と比較して、移動量基準値ＭＣｔｈを大きな値に設定することができる。つまり、光電センサー７０を用いた離間部位１３ｃの有無の判定を行うことが可能な領域が広くなる。
【００７６】
・実施形態において、第１の位置Ｐ１を、上下方向において第２の位置Ｐ２と同一位置に設定してもよいし、上下方向において第２の位置Ｐ２よりも下方に設定してもよい。
・実施形態において、第１の位置Ｐ１を、搬送方向Ｙにおいて第２の位置Ｐ２よりも上流側に設定してもよい。
【００７７】
また、第１の位置Ｐ１を、搬送方向Ｙにおいて第２の位置Ｐ２と同一位置に設定してもよい。この場合、上記光線方向は、走査方向Ｘと一致することになる。
・実施形態において、リフレクター７１を設けなくてもよい。この場合、第１及び第２の各位置Ｐ１，Ｐ２の何れか一方に発光部としての発光センサー（例えば、レーザーダイオード）を配置し、第１及び第２の各位置Ｐ１，Ｐ２の何れか他方に受光センサー（フォトディテクター）を配置することが好ましい。この場合、発光センサー及び受光センサーによって、光検出手段が構成される。
【００７８】
・実施形態において、キャリッジ５２の第２の位置Ｐ２に光電センサー７０を設け、第１の位置Ｐ１にリフレクター７１を設けてもよい。
・実施形態において、上記浮き上がり判定処理ルーチンを、キャリッジ５２がホームポジションＨＰに位置する場合のみに行うようにしてもよい。この場合、ステップＳ１０，Ｓ１１の各処理を省略してもよい。
【００７９】
・実施形態において、上記浮き上がり判定処理ルーチンを、キャリッジ５２がホームポジションＨＰから離れて移動する場合にのみ行うようにしてもよい。
・実施形態において、リニアエンコーダー６０の代わりに、キャリッジモーター５３の出力軸にロータリーエンコーダーを設けてもよい。この場合、ロータリーエンコーダーが、移動量検出手段として機能する。
【００８０】
・実施形態において、支持台４０は、吸引機構４４及び各吸引孔４２を備えない構成であってもよい。
・実施形態において、ターゲットを支持する支持手段は、被支持部分を支持するための支持用ベルトを備えた構成であってもよい。
【００８１】
・実施形態において、キャリッジ５２に搭載される液体噴射ヘッドは、印刷済みの用紙に対してオーバーコート液（液体）を噴射するヘッドであってもよい。
・実施形態において、インク噴射部１５は、キャリッジ５２の走査方向Ｘが搬送方向Ｙと一致する所謂ラテラルスキャンタイプのインク噴射部であってもよい。この場合、キャリッジ５２には、ターゲットの幅方向における全域にインクを噴射できるように、複数の記録ヘッド５１を千鳥状に配置してもよい。また、キャリッジ５２には、ターゲットの幅方向に沿って延びる長尺状の記録ヘッドを設けてもよい。
【００８２】
・実施形態において、ターゲットとしては、ロール紙１３以外の他のターゲット（例えば、単票紙、布、フィルム）などであってもよい。
・実施形態において、インク噴射部１５よりも搬送方向Ｙにおける下流側には、印刷処理とは異なる他の処理を行う処理部を設けてもよい。そして、この処理部には、ターゲットを支持する支持台と、所定の走査方向に沿って移動する移動体と、発光部７２及び受光部７３を有する光検出手段とを設けてもよい。このように構成すると、上記処理部内において、ターゲットに離間部位が生じた場合には、光検出手段を用いて離間部位を検出することができる。
【００８３】
なお、処理部の移動体には、ターゲットにおいてインクが噴射された表面を撮像するカメラなどの撮像手段を設けてもよい。この場合、インク噴射部１５での印刷不良などを、移動体に設けられた撮像手段を用いて検出することが可能となる。
【００８４】
また、インク噴射部１５で用いられるインクが紫外線硬化型のインクである場合、処理部の移動体には、ターゲットにおいてインクが噴射された表面に対して紫外線を照射する照射装置を設けてもよい。
【００８５】
また、インク噴射部１５よりも搬送方向Ｙにおける下流側に上記処理部を設けた場合、インク噴射部１５に設けられるキャリッジを、インク噴射時には移動させなくてもよい。この場合、キャリッジを支持台４０の上方域に配置し、キャリッジには、ターゲットの幅方向における全域にインクを噴射できるように、複数の記録ヘッド５１を千鳥状に配置してもよい。また、キャリッジには、ターゲットの幅方向に沿って延びる長尺状の記録ヘッドを設けてもよい。
【００８６】
・上記実施形態では、液体噴射装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【００８７】
・実施形態において、インク噴射部１５の代わりに、ワイヤインパクト式、熱転写式、電子写真式などの記録ヘッドを備える記録部を設けてもよい。
次に、上記実施形態及び別の実施形態から把握できる技術的思想を以下に追記する。
【００８８】
（イ）搬送方向に沿って搬送されるターゲットに対して記録を施す記録ヘッドと、
ターゲットを支持するための支持手段と、
前記支持手段がターゲットを支持する場合に前記支持手段及び該支持手段に支持されるターゲットが並ぶ規定方向において、前記支持手段との間にターゲットの搬送経路が位置するように設定された移動可能領域を走査方向に沿って進退移動する移動体と、
前記規定の方向において、前記支持手段との間に前記搬送経路が位置するように配置され、光を発光する発光部及び前記発光部からの光を受光する受光部を有する光検出手段と、
前記受光部での受光量に基づき、ターゲットにおいて前記支持手段に支持される被支持部分の少なくとも一部が該支持手段から離れたか否かを判定する判定手段と、を備え、
前記発光部は、前記移動可能領域外に設定された第１の位置又は前記移動体の前記走査方向における一端部に設定された第２の位置に配置されており、
前記第１及び第２の各位置の何れか一方に配置される前記発光部は、前記第１及び第２の各位置の何れか他方に向けて光を発光することを特徴とする記録装置。
【符号の説明】
【００８９】
１１…液体噴射装置、記録装置の一例としてのインクジェット式プリンター、１３…ターゲットの一例としてのロール紙、１３ｂ…被支持部分、１８…制御装置（判定手段）、４０…支持手段の一例としての支持台、５１…液体噴射ヘッドの一例としての記録ヘッド、５２…移動体の一例としてのキャリッジ、５４…移動可能領域、５５…抑え部、６０…移動量検出手段の一例としてのリニアエンコーダー、７０…光検出手段の一例としての光電センサー、７１…反射部の一例としてのリフレクター、７２…発光部、７３…受光部、ＨＰ…ホームポジション（基準位置）、ＬＱ…受光量、ＭＣ…移動量、ＭＣｔｈ…移動量基準値、Ｐ１…第１の位置、Ｐ２…第２の位置、Ｐ３…所定位置。
【図１】
0005929038.tif 000002
【図２】
0005929038.tif 000003
【図３】
0005929038.tif 000004
【図４】
0005929038.tif 000005
【図５】
0005929038.tif 000006
【図６】
0005929038.tif 000007